(57)【要約】【課題】鑑賞者の興味を長く惹き続けることができるとともに、洋菓子模型を繰り返し展示でき、移動が容易である、洋菓子模型の展示装置を提供すること。【解決手段】本考案の洋菓子模型の展示装置は、球形の展示部を有し、展示部は、円形の展示基板と、展示基板の上面中央部に位置する円形の環状台と、展示基板の上面を被覆する半球状の透明ドームと、を備え、環状台は、洋菓子模型の展示スペースと、展示スペースの周囲を走行可能に配置された走行模型と、走行模型の走行モードを起動させるための操作ボタンと、を有することを特徴とする。【選択図】図１
0003210951.tif 000002
【実用新案登録請求の範囲】
【請求項１】
球形の展示部を有する洋菓子模型の展示装置であって、
前記展示部は、円形の展示基板と、前記展示基板の上面中央部に位置する円形の環状台と、前記展示基板の上面を被覆する半球状の透明ドームと、作動モードを起動するための操作ボタンと、を備え、
前記環状台は、洋菓子模型の展示スペースと、前記展示スペースの周囲を走行可能に配置された走行模型と、を有し、
前記作動モードは、前記走行模型の走行を含むことを特徴とする、
洋菓子模型の展示装置。
【請求項２】
球形の展示部を有する洋菓子模型の展示装置であって、
前記展示部は、円形の展示基板と、前記展示基板の上面に位置する円形の第１環状台と、前記第１環状台の上面中央部に位置する円形の第２環状台と、前記展示基板の上面を被覆する半球状の透明ドームと、作動モードを起動するための操作ボタンと、を備え、
前記第１環状台は、前記第２環状台の周囲を走行可能に配置された第１走行模型を有し、
前記第２環状台は、洋菓子模型の展示スペースと、前記展示スペースの周囲を走行可能に配置された第２走行模型と、を有し、
前記作動モードは、前記走行模型の走行を含むことを特徴とする、
洋菓子模型の展示装置。
【請求項３】
前記作動モードが更に、前記洋菓子模型の駆動、前記洋菓子模型の電灯の点滅、音楽の演奏もしくは再生、前記展示部に配置したディプレイにおける映像の再生、のうち少なくとも一つを含むことを特徴とする、請求項１又は２に記載の展示装置。
【考案の詳細な説明】
【技術分野】
【０００１】
本考案は展示装置に関し、特に半球形の透明ドーム内に洋菓子模型を展示可能に構成した、洋菓子模型の展示装置に関する。
【背景技術】
【０００２】
造形洋菓子は菓子職人の手によって、繊細な装飾が施された洋菓子である。
造形洋菓子は見た目が美しく、凝った細工が鑑賞者の興味を惹くため、キャンペーンやイベントでの客寄せや、店舗で販売する洋菓子のサンプルとして展示される。
例えば毎年１２月のクリスマスシーズンに入ると、町の広場や商店街などにケーキやチョコレートをお城や小屋の形に造形した造形洋菓子が展示される。
また、洋菓子店の店舗内にも目玉商品・キャンペーン商品のサンプルとして造形洋菓子が展示される。
【考案の概要】
【考案が解決しようとする課題】
【０００３】
上述した造形洋菓子の展示には、次のような欠点がある。
＜１＞造形洋菓子の展示台に動きがないため面白みが少なく、鑑賞者がすぐに飽きてしまう。
＜２＞キャンペーンや季節のイベントごとに造形洋菓子を製作し直さなければならず、手間と費用がかかる。
＜３＞造形洋菓子は日持ちしないため、展示後に廃棄しなければならず無駄である。
＜４＞造形洋菓子が壊れやすいため、運搬や移動が難しい。
＜５＞鑑賞者が物珍しさから造形洋菓子に触ることで崩れてしまう。また、虫やほこりの付着を防ぐことができない。
【課題を解決するための手段】
【０００４】
上記のような課題を解決するための本考案の洋菓子模型の展示装置は、球形の展示部を有し、展示部は、円形の展示基板と、展示基板の上面中央部に位置する円形の環状台と、展示基板の上面を被覆する半球状の透明ドームと、作動モードを起動するための操作ボタンと、を備え、環状台は、洋菓子模型の展示スペースと、展示スペースの周囲を走行可能に配置された走行模型と、を有し、作動モードは、走行模型の走行を含むことを特徴とする。
【０００５】
また、本考案の洋菓子模型の展示装置は、球形の展示部を有し、展示部は、円形の展示基板と、展示基板の上面に位置する円形の第１環状台と、第１環状台の上面中央部に位置する円形の第２環状台と、展示基板の上面を被覆する半球状の透明ドームと、作動モードを起動するための操作ボタンと、を備え、第１環状台は、第２環状台の周囲を走行可能に配置された第１走行模型を有し、第２環状台は、洋菓子模型の展示スペースと、展示スペースの周囲を走行可能に配置された第２走行模型と、を有し、作動モードは、走行模型の走行を含むことを特徴とする。
【０００６】
さらに、本考案の洋菓子模型の展示装置は、作動モードが更に、洋菓子模型の駆動、洋菓子模型の電灯の点滅、音楽の演奏もしくは再生、展示部に配置したディプレイにおける映像の再生、のうち少なくとも一つを含んでいてもよい。
【考案の効果】
【０００７】
本考案の洋菓子模型の展示装置は、以上説明した構成であるため、次の効果を少なくともひとつ備えている。
＜１＞ボタンの操作によって、洋菓子模型の周囲を汽車が走り回り、音楽やライトが作動する。このため鑑賞者の興味を長く惹き続けることができる。
＜２＞洋菓子の実物ではなく模型を展示するため、何度でも使用可能であり経済的である。
＜３＞洋菓子模型や環状台が展示部内に一体に収納されているため、まとめて運搬することができ、移動が容易である。
＜４＞洋菓子模型の環状台が透明ドームに被覆されているため、鑑賞者が洋菓子模型に触れたりほこりが付着することを防ぐことができる。
＜５＞人感センサによって周囲の人間を感知し、装置の操作やおすすめ商品などを積極的に呼びかけることで、販売促進効果を更に高めることができる。
【図面の簡単な説明】
【０００８】
【図１】本考案に係る洋菓子模型の展示装置の説明図。
【図２】本考案に係る洋菓子模型の展示装置を使用した状態の説明図。
【考案を実施するための形態】
【０００９】
以下、図面を参照しながら本考案の洋菓子模型の展示装置について詳細に説明する。
【実施例１】
【００１０】
[洋菓子模型の展示装置]
＜１＞全体の構成（図１）。
本考案の洋菓子模型の展示装置１は、洋菓子模型Ａを展示するための装置であって、球形の展示部１０と、展示部１０を支持する台座部２０と、を有する。
洋菓子模型の展示装置１は、鑑賞者の目線から展示部１０の内部を見下ろすことができる高さに設定する。洋菓子模型Ａをクリスマスケーキなど子供向けの模型とする場合には、子供の目線を基準にする。
展示部１０を小さくすると洋菓子模型Ａの展示空間も小さくなってしまうため、洋菓子模型の展示装置１の高さは、台座部２０の高さで調節するとよい。
【００１１】
＜２＞洋菓子模型。
洋菓子模型Ａは、造形洋菓子に模した模型である。
洋菓子模型Ａは、いわゆる「食品サンプル」として知られる技術を用いて製作することができる。具体的には、例えばグラスファイバー型を用いたグラスファイバー製の成型品や、シリコン樹脂型を用いた塩化ビニール樹脂製の成型品を採用することができる。
洋菓子模型Ａは、洋菓子店の広告宣伝目的であれば実際に販売する洋菓子に模しても良いし、イベントなどにおける集客目的であれば人目を惹く架空の洋菓子でもよい。
本例ではケーキをモデルにする。このケーキは、チョコレートとビスケットからなる城壁と、キャンディとクリームからなる尖塔などを備えた、お菓子のお城様のケーキである。
【００１２】
＜３＞展示部。
展示部１０は、洋菓子模型Ａを展示する部分である。
展示部１０は、透明ドーム１１と、透明１１ドームに被覆されるドーム基部１２と、ドーム基盤１２の上面を構成する円形の展示基板１３と、展示基板１３の上面に配置した第１環状台１４と、第１環状台１４の上面に配置した第２環状台１５と、ドーム基部１２に設置した操作ボタン１６ａと、を少なくとも有する。
【００１３】
＜３．１＞展示部を球状にした理由（図２）。
展示部１０を箱型でなく球状にした理由は、球状であることによって柔らかく優しい印象を与えることに加え、意匠性が高いこと、シャボン玉、宝石、惑星、水晶玉などの寓話的なイメージを連想させること、鑑賞者が汽車の運転手の目線を維持したまま展示部１０の周りをぐるぐると汽車を追い続けることができること、角がないので子供がぶつかってもけがをする恐れが少ないこと、などによる。
【００１４】
＜３．２＞透明ドーム。
透明ドーム１１は、ドーム基部１２の上部を被覆するドーム状の覆いである。
本例ではドーム状に成形した透明プラスチックを採用する。
【００１５】
＜３．３＞ドーム基部。
ドーム基部１２は、展示部１０の基部である。
ドーム基部１２は、台座部２０の上に設置する。
ドーム基部１２は、上方に開放された半球形状を呈し、上部を円形の展示基板１３で封止することで、内部に収納空間を形成する。ドーム基部１２の収納空間には走行模型１７の駆動源や制御装置、接続回線などを収納する。
ドーム基部１２の周面には操作ボタン１６ａと人感センサ１６ｂを設置する。
【００１６】
＜３．４＞第１環状台。
第１環状台１４は、展示基板１３の上面に設置する円形の台である。
第１環状台１４の上面には、中央部に第２環状台１５を設置し、第２環状台１５をとり囲むように模型のレール１８を敷設する。レール１８は環状に連結する。
第１環状台１４は展示基板１３から上下に昇降する機能や、回転する機能を有していても良い。
【００１７】
＜３．５＞第２環状台。
第２環状台１５は、第１環状台１４の上面に設置する円形の台である。
第２環状台１５は第１環状台１４より小径に設計する。
第２環状台１５の上面中央には、洋菓子模型Ａを載置するための展示スペース１５ａを有する。
展示スペース１５ａを取り囲むように模型のレール１８を敷設する。レール１８は環状に連結する。
第２環状台１５は、第１環状台１４からの昇降機能や回転機能を有していても良い。
【００１８】
＜３．６＞操作ボタン。
操作ボタン１６ａは、後述する作動モードを起動するためのボタンである。ボタンの種類や数は適宜選択できる。
本例では、操作ボタン１６ａはドーム基部１２の周面に設ける。ただし、見やすくて操作しやすい場所であればこれに限られない。
このほか、操作ボタン１６ａに、走行模型１７の走行方向やスピード、機械演奏のボリューム、ライトの点滅など制御する機能を持たせても良い。
【００１９】
＜３．７＞走行模型。
走行模型１７は、第１環状台１４と第２環状台１５の上に走行可能に設置する。第１環状台１４と第２環状台１５の両方に設置するほか、いずれか一方のみに設置しても良い。
本例では、走行模型１７として汽車の模型を採用する。このほか、電車、自動車、馬車などの模型を採用しても良い。
走行模型１７は後述する作動モードの起動によって、第２環状台１５と第１環状台１４の上面をレール１８に沿って走行する。
走行模型１７の駆動には公知の技術を採用できる。例えば、いわゆるＮゲージのように直流２線式で駆動させることができる。
走行模型１７の駆動源や回線は、ドーム基部１２内の収納空間に設置することができる。
【００２０】
＜４＞全体の装飾。
洋菓子模型の展示装置１は、洋菓子模型Ａのイメージに合わせて全体を装飾すると良い。
例えば、第１環状台１４や第２環状台１５の上面に人形を置いたり、周壁にお菓子風の模様を施すなどして飾り付ける。
また、洋菓子模型Ａの側面に設けた城門から第１環状台１４の上面に至る階段を設け、当該階段の下部をアーチ状のトンネルにして走行模型１７を走り抜けさせるなどしても良い。
さらに、展示部１０の上部に液晶画面などのディスプレイ１９を設置することで、鑑賞者の注意をさらに強く惹きつけることができる。
ディスプレイ１９は、第１環状台１４や第２環状台１５の上部に設置するほか、洋菓子模型Ａの上部に配置しても良い。
【００２１】
＜５＞使用方法。
本考案の洋菓子模型の展示装置１は、操作ボタン１６ａの操作によって、鑑賞者の注意を惹く仕掛けを作動する作動モードを起動できる。
作動モードが起動すると、走行模型１７が第１環状台１４および第２環状台１５のレール１８上を走行するとともに、鑑賞者の興味を惹いて楽しませる「動き」「音楽」「光」「映像」などを連続して作動させる。
「動き」には走行模型１７の走行のほか、環状台の回転や昇降、洋菓子模型Ａの尖塔の回転、窓の開閉などがある。「音楽」にはあらかじめ録音した音楽や音声の再生、オルゴールの演奏などがある。「光」には洋菓子模型Ａに内蔵した小型ＬＥＤの点滅や、展示基板１３から洋菓子模型Ａへのライトアップなどがある。「映像」にはディスプレイ１９による動画の提供などがある。
作動モードの例として、例えば上下二段のレール１８の上を汽車（走行模型１７）が駆け巡り、童謡『汽車ポッポ』の機械演奏に合わせて、洋菓子模型Ａや第２環状台１５の周囲を交互に３周ずつ廻る、などの仕掛けにするとよい。
また、ディスプレイ１９には、例えば１月はお正月、２月はバレンタインデーなど、一年の各月をテーマにした可愛らしいアニメーションなどを流す。
本考案の洋菓子模型の展示装置１を洋菓子店の店内に設置することで、子供が洋菓子模型Ａを鑑賞して楽しんでいる間、親は落ち着いて品定めをすることができ、顧客満足度が高まる。
また、子供が親に再度の来店を求めるため、リピーター率が上り、顧客の定着と売上の増加を達成することができる。
【実施例２】
【００２２】
[人感センサを備えた例]
本例では、ドーム基部１２に例えば赤外線センサなどの人感センサ１６ｂを備える。
人感センサ１６ｂは、顧客が展示装置から一定距離の範囲内に近づいたことを探知して、顧客への呼びかけモードを作動させる。
呼びかけモードは、例えば、声優の録音などによる親しみやすい音声で「ボタンを押すと汽車が走るよ」など、作動モードの起動を呼びかける。
あるいは、事前の録音に基づいて、本日のおすすめのお菓子の案内などを行う。この場合、販売責任者が、展示装置にマイクを接続して、おすすめ商品情報などを事前に録音しておく。
本例では、実施例１の効果に加え、展示装置から顧客に積極的に働きかけ、展示装置を作動させるように動機付けることで、本考案の洋菓子模型の展示装置１による宣伝効果をさらに高めることができる。
【符号の説明】
【００２３】
１      洋菓子模型の展示装置
１０    展示部
１１    透明ドーム
１２    ドーム基部
１３    展示基板
１４    第１環状台
１５    第２環状台
１５ａ  展示スペース
１６ａ  操作ボタン
１６ｂ  人感センサ
１７    走行模型
１８    レール
１９    ディスプレイ
２０    台座部
Ａ      洋菓子模型
【図１】
0003210951.tif 000003
【図２】
0003210951.tif 000004